(57)【要約】  本発明は、電気装置用ハウジング（１）に関し、ハウジング（１）を、機械、技術装置、または建築物壁に接続するための接続部分（４）を有するハウジング底部（１０）と、接続部分（４）の外側に設けられた少なくとも１つの固定要素（２）とを備え、固定要素（２）は、それが機械の、技術装置の、または建築物壁の対応する保持要素と、形状結合可能であり、および／または摩擦結合可能であって、ハウジング（１）をハウジングカバーによって閉鎖可能であるように構成され、接続部分（４）は、弾性変形可能であるように構成され、内側に、使用者によって操作可能なロック解除要素（３）を有し、ロック解除要素（３）は、固定要素（２）に作動可能に結合され、かつハウジング（１）が開いているときにのみ内側から作動して、固定要素（２）と、機械の、技術装置の、または建築物壁の保持要素との形状結合および／または摩擦結合を解除できるように構成される。
2019534569.tif 000002
【特許請求の範囲】
【請求項１】
電気装置用ハウジング（１）であって、
ハウジング（１）を、機械、技術装置、または建築物壁に接続するための接続部分（４）を備えるハウジング底部（１０）と、
接続部分（４）の外側に設けられた少なくとも１つの固定要素（２）とを有し、
固定要素（２）は、それが機械の、技術装置の、または建築物壁の対応する保持要素と、形状結合可能であり、および／または摩擦結合可能であって、ハウジング（１）をハウジングカバーによって閉鎖可能であるように構成される、電気装置用ハウジング（１）において、
接続部分（４）は、弾性変形可能であるように構成され、そして、内側に、使用者によって操作可能なロック解除要素（３）を備え、そのロック解除要素（３）は、固定要素（２）に作動可能に結合され、かつ、ハウジング（１）が開いているときにのみ内側から作動して、固定要素（２）と、機械の、技術装置の、または建築物壁の保持要素との形状結合、および／または摩擦結合を解除できるように構成されていることを特徴とするハウジング（１）。
【請求項２】
固定要素（２）とロック解除要素（３）とは接続部分（４）上で互いに対向して配設されることを特徴とする、請求項１に記載のハウジング（１）。
【請求項３】
固定要素（２）は接続部分（４）と一体的に形成されることを特徴とする、請求項１または２に記載のハウジング（１）。
【請求項４】
ロック解除要素（３）は接続部分（４）と一体的に形成されることを特徴とする、請求項１〜３のいずれか１項に記載のハウジング（１）。
【請求項５】
ロック解除要素（３）は、それがグリッパツールによって把持され得るように構成されることを特徴とする、請求項１〜４のいずれか１項に記載のハウジング（１）。
【請求項６】
固定要素（２）は、機械の、技術装置の、または建築物壁の保持要素から引張力を加えることによって解放できるように構成されることを特徴とする、請求項１〜５のいずれか１項に記載のハウジング（１）。
【請求項７】
固定要素（２）は、機械の、技術装置の、または建築物壁の保持要素から圧縮力を加えることによって解放できるように構成されることを特徴とする、請求項１〜５のいずれか１項に記載のハウジング（１）。
【請求項８】
接続部分（４）は、固定要素（２）および／またはロック解除要素（３）の周りに延びる同心の弾性変形可能な波形構造（４０）を有することを特徴とする、請求項１〜７のいずれか１項に記載のハウジング（１）。
【請求項９】
弾性変形可能な波形構造（４０）は、少なくとも２つの環状凸部（４００，４０１）とこれら凸部（４００，４０１）間の少なくとも１つの環状凹部（４０２）とによって形成されることを特徴とする、請求項８に記載のハウジング（１）。
【請求項１０】
接続部分（４）は、ハウジング底部（１０）と一体的に形成されることを特徴とする、請求項１〜９のいずれか１項に記載のハウジング（１）。
【発明の詳細な説明】
【技術分野】
【０００１】
本発明は、ハウジングを、機械、技術装置、または建築物壁に接続するための接続部分を備えるハウジング底部と、接続部分の外側に設けられた少なくとも１つの固定要素とを有する電気装置用ハウジングに関し、固定要素は、それが機械の、技術装置の、または建築物壁の対応する保持要素と、形状結合可能であり、および／または摩擦結合可能であって、ハウジングをハウジングカバーによって閉鎖可能であるように構成される。
【背景技術】
【０００２】
たとえば、危険をもたらす機械または技術装置の非常停止装置であり得る電気装置のための、冒頭で述べたタイプのハウジングは、技術水準から、種々の実施形態において知られている。特に、非常停止装置用のハウジングでは、たとえば、これらのハウジングを、ハウジング底部に予め設けられた開口に従って、基台とまたはホルダとしっかりとねじ止めすることが知られている。組み立てを特に簡単にするために、製造者によって予め完全な配線が施されていてもよく、機械または技術装置に予め設けられたホルダに、工具を用いずに取り付けることが可能であり、特にホルダの保持要素上にスナップ留めすることができる電気装置が知られている。このようなハウジングは、ハウジングを保持要素に係止するための固定要素が外側からアクセス可能であるという欠点を有する。したがって、これらの電気装置は、設置後にほとんど労力をかけずに容易に取り外すことができ、その後、場合によっては、これを後で見分けがつかないように再設置することができる。電気装置の許可されていない取り外しおよび再取り付けは、特に、安全性が重要な機械または技術装置において問題となり得る。
【０００３】
ＤＥ１９５０４７６２Ｃ２から、電気装置のハウジングを取付レール輪郭上にロック解除する装置が知られる。ロック解除機構は、プルロッドからなり、横方向またはハウジング内に取り付けることができる。プルロッドを引っ張ることによって、スプレッダバーが、ハウジングの下側で、その動作位置に移動され、ハウジングを取付レールから取り外すことができる。
【０００４】
ＤＥ１０２０１５２０１９１６Ａ１には、トップハットレール上に係止することができる、電気装置のハウジングが開示されている。ハウジングのホルダへの固定は、ハウジングの裏側にある偏心要素によって行われる。この場合、偏心要素は、トーションバーおよび制御要素を介して、ハウジングの前面から回転可能に作動される。ハウジングはロック装置と一緒に取り外し可能である。
【０００５】
上述したこれら２つの解決手段においては、ハウジングのホルダからの許可されていない分解を検出することはできない。さらに、これらのハウジングは、テンションロッドまたはトーションバーがそれぞれ通過する開口を有している。それによって、より高い保護等級、特に保護等級ＩＰ６５を有するハウジングを提供することはできない、またはそうするためには非常に多大な努力を要する。
【発明の概要】
【０００６】
本発明の目的は、ホルダの保持要素に簡単な方法で固定することができ、かつ許可されていない分解に対する改良された防止を提供する上述のタイプのハウジングを提供することである。
【０００７】
この問題に対する解決手段は、請求項１の特徴部分の特徴を有する一般的なハウジングを提供する。従属請求項は、本発明の好ましいさらなる形態に関する。
【０００８】
発明に従ったハウジングは、接続部分は、弾性変形可能であるように構成され、そして、内側に、使用者によって操作可能なロック解除要素を有し、そのロック解除要素は、固定要素に作動可能に結合され、かつ、ハウジングが開いているときにのみ内側から作動して、固定要素と、機械の、技術装置の、または建築物壁の保持要素との形状結合、および／または摩擦結合を解除できるように構成されている。本発明は、ハウジングカバーを取り外した後にのみ、ハウジングをホルダから再び取り外すことができるという考えに基づいており、それというのは、そうしたときだけ、ユーザは、固定要素に動作可能に接続されたロック解除要素に到達することができて、ロック解除要素を操作可能であるからである。固定要素との接続部分は、固定要素が、機械もしくは装置の側の、または建築物側のホルダに、ハウジングを取り付けた後に、ハウジングによって隠され、したがって外部からアクセスできないように構成され、その結果、ハウジングは、破壊せずに分解することはできない。好ましくは、ハウジングは、少なくとも１つの操作防止手段を有し、それは、ハウジングが開かれたときに損傷するように構成されている。操作防止手段は、たとえば、ステッカーであることが可能であり、それが、ハウジングとハウジングカバーとの間の分割線上に、またはハウジングカバーをハウジングに取り付けることができる固定手段のうちの少なくとも１つの上に貼り付けられる。ハウジングを開けるとステッカーが傷つく。これにより、不正開封によるハウジングの操作を確実に検出することができる。欠陥がある場合、ハウジングは、専門家以外の人でも短時間で交換することが可能である。この目的のために、必要なのは、ハウジングカバーを取り外して、ロック解除要素を操作するだけである。特に修理や交換のためにハウジングを分解することは、もちろん、操作防止手段を傷つけることなく可能である。ハウジングの組み立ても非常に簡単であり、なぜなら、組み立て目的のためにハウジングを開く必要がないからである。このハウジングのさらなる利点は、ハウジングが、ロック解除要素のための操作手段を外部から通さねばならない開口を有していない点である。これにより、特に保護等級ＩＰ６５のような、高い保護等級のハウジングを簡単に作成可能である。
【０００９】
ハウジングのロックをロック解除するときに、ロック解除要素から固定要素へ最適な力伝達を達成するために、好ましい実施形態では、固定要素とロック解除要素とが接続部分上で互いに対向して配設される構成とされている。
【００１０】
ハウジングの製造を簡単にするために、特に有利な実施形態では、固定要素が接続部分と一体的に形成される構成とすることが可能である。ロック解除要素が接続部分と一体的に形成されることも同様に有利である。特に有利であるのは、この実施形態では、固定要素およびロック解除要素を製造して、それを接続部分に固定するために追加の製造および組立て工程が必要とされないので、固定要素およびロック解除要素の両方が接続部分と一体的に形成されるところである。しかし、原則として、固定要素および／またはロック解除要素を別々の構成要素として実施し、それらを適切な方法で接続部分に固定することも可能である。
【００１１】
好ましい実施形態では、ロック解除要素は、それがグリッパツールによって、たとえば把持トングによって把持され得るように構成することが可能である。ロック解除のこの実施形態は、簡単で、ユーザにとって直感的な、保持要素からのハウジングのロック解除法を生み出す。
【００１２】
好ましくは、固定要素は、機械の、技術装置の、または建築物壁の保持要素から引張力を加えることによって解放できるように構成することができる。あるいは、固定要素は、機械の、技術装置の、または建築物壁の保持要素から圧縮力を加えることによって解放できるように構成することも可能である。
【００１３】
有利な実施形態では、接続部分は、固定要素および／またはロック解除要素の周りに延びる同心の弾性変形可能な波形構造を有する構成とすることが可能である。これにより、接続部分の弾性変形性を簡単な方法で達成することができる。好ましくは、弾性変形可能な波形構造は、少なくとも２つの環状凸部とこれら凸部間の少なくとも１つの環状凹部とによって形成することが可能である。この波形構造は、接続部分の剛性を減少させ、それによって簡単な方法でその弾性変形を可能にする。
【００１４】
ハウジングの製造を特に簡単にするために、特に有利な実施形態では、接続部分をハウジング底部と一体的に形成する構成とされる。したがって、ハウジングは、たとえばプラスチック射出成形プロセスによって製造することができる一体型構成要素であることが好ましい。接続部分はハウジング底部と一体的に形成され、ハウジングの製造時に既に形成されているので、ハウジングのある程度の保護を達成する必要があるとしても、接続部分をハウジング底部に取り付けて適切にシールするための追加の取り付け工程が省かれる。これに関しては、固定要素およびロック解除要素が接続部分と一体的に形成されることが特に有利である。
【００１５】
しかしながら、原則的に、接続部分が、ハウジング底部収容開口内に設けられた適切な形状に挿入されてこれに固定される別個の構成要素として形成されることも考えられる。しかしながら、この変形例は、接続部分とハウジングとの結合を非常に手間をかけてしか封止できないという欠点を有する。したがって、この実施形態は、保護等級が低いハウジングにより適している。
【００１６】
本発明の他の特徴および利点は、添付の図面を参照して好ましい実施形態の以下の説明から明らかになるであろう。
【図面の簡単な説明】
【００１７】
【図１】本発明の好ましい実施形態に従って構成された電気装置用のハウジングの斜視図である。
【図２】ハウジングの側面図である。
【図３】ハウジングの縦断面図である。
【図４】ハウジングの平面図である。
【発明を実施するための形態】
【００１８】
図１〜図４を参照すると、たとえば、機械または技術装置の非常停止装置などの電気装置のためのハウジング１は、ハウジング底部１０、周方向ハウジング内壁１１、および周方向ハウジング外壁１２を含む。プラスチック製であるハウジング１は、実質的に矩形、ここでは、実質的に正方形の輪郭を有する。周方向に延びる内壁１１は、ハウジング１の内部収容空間を規定し、その収容空間内に電気装置の構成部品を収容することが可能である。ハウジング１は、やはりまたプラスチックから作られるハウジングカバーによって封止されて、高い保護等級、特に、保護等級ＩＰ６５を達成可能であるように密閉される。電気接続は、たとえば、業界標準の、５ピンＭ１２コネクタを差し込むことで実現することが可能である。
【００１９】
図１および図４に見られるように、ハウジング内壁１１は、ハウジング１の４つの角領域のすべてにおいて、外壁１２から離間している。結果として、これら４つの角領域のそれぞれには、ギャップ１３ａ，１３ｂ，１３ｃ，１３ｄが形成され、そのギャップ内には、それぞれ、中空筒状受け部１４ａ，１４ｂ，１４ｃ，１４ｄが形成される。ハウジング１は、ここでは図示されていないハウジングカバーによって閉鎖されることが可能であり、そのハウジングカバーは、それら４つの角領域に、それぞれ、挿入開口を備える。これらの挿入開口は、ハウジングカバーがハウジング１上に配設された後、それぞれ、中空筒状受け部１４ａ，１４ｂ，１４ｃ，１４ｄのうちの１つと位置合わせされる。続いて、それぞれの挿入開口をそれぞれの固定ねじは通過案内され、それぞれの挿入開口と整列している受け部１４ａ，１４ｂ，１４ｃ，１４ｄにねじ込まれることが可能である。好ましくは、ハウジング１は、ハウジング１の開口が、ハウジングカバーを取り外すことによって確実に検出されることが可能に構成された、少なくとも１つの操作防止手段を有する。操作防止手段は、たとえば、ステッカーであってもよく、それを、ハウジング１とハウジングカバーとの間の分割線上に、または、固定ねじの少なくとも１つの上に貼り付けることが可能である。ハウジング１の開放は、ステッカーの不可逆的な損傷を導き、したがって確実に開放を検出することができる。
【００２０】
ハウジング底部１０は、弾性変形可能な、接続部分４を有し、該接続部分４は、外側に、少なくとも１つの固定要素２を含み、該固定要素は、それに対応する保持要素であって、機械もしくは技術装置に配設された、または建築物壁に配設された保持要素と、形状結合可能であるように構成される。固定要素２は、接続部分４と一体的に形成されている。ハウジング１が接続されている保持要素は、たとえば保持レール、特に、トップハットレール（ＤＩＮレール）であってよく、好ましくはラッチ要素として構成することが可能である。このラッチ要素を用いて、組み立て中、そしてハウジング１を先に開けることを要せずに、固定要素２をロックすることが可能である。固定要素２は、接続部分４の外側の中央領域に配設され、したがって保持要素に固定した後に、ハウジング１によって覆われる。これは、固定要素２が、外側からアクセス可能ではなく、そしてハウジング１を、保持要素から、破壊することなしに容易に取り外すことができないという利点をもたらす。
【００２１】
たとえば、欠陥がある場合に、ハウジング１を保持要素から容易に取り外すことができるようにするために、少なくとも、固定要素２が外側に形成されている領域に、接続部分４を設けることによって、ハウジング底部１０を弾性変形可能に構成する。接続部分４は、剛性を低減させ、弾性変形可能とするために、同心の、固定要素２周りに延びる波型構造体４０を有し、該波型構造体４０は、ハウジング１の内方に向く２つの環状凸部４００，４０１と、外方に向く、これら凸部４００，４０１間の１つの環状凹部４０２とによって形成されている。図３に最もよく表された、同心波型構造は、２つの凸部４００，４０１と、その間に設けられた凹部４０２を含み、接続部分４に、必要な弾性を付与し、よって、接続部４を、圧縮力または引っ張り力を加えることによって弾性変形させることが可能である。図３に見られるように、接続部分４は、ロック解除要素３を有し、該ロック解除要素３は、固定要素２に対向して配設され、ハウジング１の内部に延びている。このロック解除要素３は、その機能を以下により詳細に説明するが、これもまた、接続部分４と一体的に形成されている。図１による斜視図においても、凸部４００，４０１と、それらの間に延在する凹部４０２とを備える、接続部分４の上述の同心円状波形構造４０を分かりやすく示すために、ロック解除要素３の左右に、意図的に、現実にはないが、もっぱら目でみて分かるようにすることを目的とした、「波線」が描かれている。
【００２２】
ハウジング外壁１２は、その４つの側面のそれぞれの下部領域に、凹部１２０を有し、この凹部１２０は、ハウジング１が取り付けられるべき保持レールの輪郭に適合している。この場合、凹部１２０は、ハウジング１が蟻継ぎ形状の保持レール上に装着するのに適するように形成されている。ハウジング外壁１２の両側の２つの凹部１２０は、互いに整列するように配設されているので、組み立てにおいて、ハウジング１を簡単な方法で保持レール上に押すことができる。外側ハウジング壁１２の両側にそれぞれ凹部を備えることによって、ハウジング１は、支持レール上で互いに９０°回転して整列した、２つの異なる状態で取り付けられることができる。保持レールに押し付けられると、固定要素２は保持レールとの接触によって内側に押圧され、それにより同心円状の波形構造４０は内側に弾性変形する。保持レール上でのさらなる移動運動の間に、固定要素２が最終的に保持要素に達すると、固定要素２は形状嵌合によって保持要素に係合してそれを係止する。波形構造体４０は弛緩し、よって、固定要素２と保持要素とを確実に形状結合させる。
【００２３】
ハウジング１はハウジングカバーによって閉じられているので、ハウジング１は動作中に気密封止されている。たとえば、電気装置に不具合が生じた場合にハウジング１をホルダから取り外すことができるようにするために、第１のステップで固定ねじを緩めなければならないので、ハウジングカバーをハウジング１から取り外すことができる。この場合、ハウジング１の操作防止手段が損傷する。続いて、使用者は、掴み工具、特にグリッパを用いてロック解除要素３を掴み、ロック解除要素３に引っ張り力を加えることができる。固定要素２の周り、およびロック解除要素３の周りに延びる同心シャフト構造４０は、引っ張り力の作用によって内側に引っ張られ、弾性的に変形して、固定要素２が保持要素から外れるため、形状結合が解除される。次いで、ハウジング１は、使用者によって支持レールに沿って押されて、最終的にそれから取り外すことができる。
【００２４】
好ましくは、ハウジング１全体が一体的に形成されている。すなわち、固定要素２によって、およびロック解除要素３によって、ハウジング１のためのロックおよびロック解除機構を提供する接続部分４が、ハウジング底部１０と一体的に構成され、したがって、分割された、追加の組み立て工程において組み立てられるべき構成要素は何もない。
【００２５】
ここに開示されたハウジング１の１つの利点は、事前に開けることを要せずに、簡単な方法で、工具を使用せずに、保持要素、特に保持レールの保持要素に固定することができることである。固定要素２とロック解除要素３とによって形成されるロックおよびロック解除機構は、機械的に非常に頑丈に構成され、損傷を受けやすいのでハウジング１を使用不可にするおそれのあるような繊細な構成要素がない。ハウジング１の、許可されない開放、および（特に修理目的のために）許可されて行われる開放は、その後に操作防止手段によって認識可能である。したがって、ハウジング１は、安全性が重要な機械または技術装置で利用される電気装置にも適している。ハウジング１のさらなる利点は、それが容易に再利用可能であることである。たとえば、ハウジング１は、修理をして、操作防止手段を再び設けることが可能であり、それによって、シールされて、新たな設置のための準備ができている。
【００２６】
接続部分４が一体に形成されたハウジング１は、プラスチック射出成形法により容易に製造することができる。ハウジング１はオフツールのものである。これは、射出成形プロセスの完了後に、ハウジング１を完成するために追加の組み立て工程が必要とされないことを意味する。ロックおよびロック解除機構と共にハウジング１を製造することは、簡単なオンオフツールによって可能である。
【００２７】
基本的に、接続部分４は、適切に形成された、ハウジング底部１０内に予め設けられた、開口内に挿入されて、この中で固定される別個の構成要素として形成されることも考えられる。しかしながら、この変形例は、接続部分４とハウジング１との接続を封止することが非常に困難であるという欠点を有する。したがって、この実施形態は、保護等級が低いハウジング１に対してより適している。
【００２８】
原則的には、固定要素２および／またはロック解除要素３を接続部分４と一体に形成しないことも可能である。しかしながら、この変形例は、固定要素２および／またはロック解除要素３を製造し、それを接続部分４に固定するために追加の工程が必要であるという欠点を有する。固定要素２および／またはロック解除要素３と接続部分４との一体構成は、したがって、かなりより有利である。
【図１】
2019534569.tif 000003
【図２】
2019534569.tif 000004
【図３】
2019534569.tif 000005
【図４】
2019534569.tif 000006
【国際調査報告】
2019534569.tif 000007
2019534569.tif 000008
2019534569.tif 000009
2019534569.tif 000010